(57)【要約】【解決手段】  室温又はこれより低温の冷水にて水茶５が抽出される水出し茶葉１１が収容された包装体１と、この包装体内の水出し茶葉１１と前記冷水とが入れられる急須２と、この急須内で前記冷水により水出し茶葉１１から抽出された水茶５が注がれる茶碗３とを備えたことを特徴とする水出し茶用セット。【効果】  この考案によれば、室温又はこれより低温の冷水によって抽出された水茶を手軽に、しかも茶を点てるという行為を楽しみつつ喫茶することができる。【選択図】  図１
0003111196.tif 000002
【実用新案登録請求の範囲】
【請求項１】
室温又はこれより低温の冷水にて水茶が抽出される水出し茶葉が収容された包装体と、この包装体内の水出し茶葉と前記冷水とが入れられる急須と、この急須内で前記冷水により水出し茶葉から抽出された水茶が注がれる茶碗とを備えたことを特徴とする水出し茶用セット。
【請求項２】
前記茶碗が、小貫通孔を有さず、水茶が注がれる前に急須の蓋として兼用される請求項１記載の水出し茶用セット。
【請求項３】
急須の内容積及び茶碗の内容積が、それぞれ水茶１回の抽出量に相当する大きさである請求項１又は２記載の水出し茶用セット。
【考案の詳細な説明】
【技術分野】
【０００１】
この考案は、室温又はこれより低温の冷水によって抽出された水茶を手軽に、かつ茶を点てて楽しむことができる水出し茶用セットに関する。
【背景技術】
【０００２】
最近、プラスチックボトルや金属缶などにお茶（日本茶）を収容したものが多数販売されている。これらのうち、金属缶に収容されたお茶は、一部が加温されて飲用されるが、プラスチックボトルに収容されたお茶や金属缶に収容された多くは、冷蔵庫などで冷やされ、冷たい状態で飲用される。これらは、お茶といってもジュース類やコーヒー類などと同様に清涼飲料水として扱われるもので、予め茶葉から抽出したお茶を飲用として加工したものである。従って、手軽に飲用できる反面、水からお茶を点てて楽しむという面に欠けることは否めない。
【０００３】
一方、日本には、古来から茶の道といわれるように茶を点ててたしなむことが行われており、茶会なども盛んに開かれている。しかし、これには様々な道具立ても必要で、手軽に茶を楽しむという点に劣るものである。特に、湯を必要とすることから、湯を沸かす設備のない所では茶を楽しむことはできない（例えば、特許文献１：登録実用新案第３０５００２６号公報参照）。
【０００４】
なお、家庭など、多くの場所で茶葉に熱湯を注いで抽出したお茶を飲用することが行われているが、同様に熱湯を必要とするものであるし、茶を点てることを楽しむという点は通常、考慮されていないものである。
【０００５】
【特許文献１】登録実用新案第３０５００２６号公報
【考案の開示】
【考案が解決しようとする課題】
【０００６】
この考案は、上記事情に鑑みなされたもので、室温又はこれより低温の冷水によって抽出された水茶を手軽に、しかも茶を点てるという行為を楽しみつつ、喫茶することができる水出し茶用セットを提供することを目的とする。
【課題を解決するための手段】
【０００７】
この考案によれば、室温又はこれより低温の冷水にて水茶が抽出される水出し茶葉が収容された包装体と、この包装体内の水出し茶葉と前記冷水とが入れられる急須と、この急須内で前記冷水により水出し茶葉から抽出された水茶が注がれる茶碗とを備えたことを特徴とする水出し茶用セットによって、上記目的を達成したものである。
【０００８】
この場合、前記茶碗が、小貫通孔を有さず、水茶が注がれる前に急須の蓋として兼用されるように構成することが好ましく、また急須の内容積及び茶碗の内容積が、それぞれ水茶１回の抽出量に相当する大きさであるように選定することが好ましい。
【考案の効果】
【０００９】
この考案の水出し茶用セットによれば、包装体内に収容された水出し茶葉と、急須と、茶碗とを備えるだけで、水から茶を点てることができ、また水出し茶葉を室温又はこれより低温の冷水にて抽出する場合、熱湯を注ぐ場合と異なり、直ちには抽出されず、例えば５分程度の時間を要するので、単に抽出された水茶を飲用するということに留まらず、茶を点てるという行為を楽しむことができる。この場合、茶葉の抽出に熱湯が不要で、常温
水があればどこでも抽出できるので、場所を問わず茶を点てることを楽しむことができる。
また、急須は、通常、蓋を有し、この蓋には熱湯からの蒸気を外部に逸散させる小貫通孔が形成されているが、この考案の場合、前記冷水を用いるので、熱湯からの蒸気を逸散させる小貫通孔は不要であり、小貫通孔を有さないので、この急須の蓋を茶碗として兼用でき、これに水茶を注いでも漏れが生じることがなく、この点で部品点数を少なくすることができる。
更に、急須の内容積、茶碗の内容積をそれぞれ水茶１回の抽出量に相当させることにより、一定の順序で茶を点てるという行為を楽しみつつ喫茶することができる。
【考案を実施するための最良の形態】
【００１０】
以下、図面を参照してこの考案の最良の形態を説明する。図１は、水出し茶用セットの一例を示すもので、１は内部に室温又はこれより低温の冷水にて抽出される水出し茶葉が収容された包装体であり、これはアルミニウム箔等の金属箔やアルミニウム蒸着層等の金属蒸着層がラミネートされた包装袋であって、上端部を開封した後、この上端開封部より若干下方に、ファスナー等の上記上端開封部を開口可能に密封する構造に形成してあるものが好適である。なお、図１では、３個の包装袋１を示してあるが、内部に水出し茶葉が収容された包装袋の個数は制限されない。また、包装袋に収容される水出し茶葉の量は、１回の使用分（抽出分）であっても、複数回の使用分（抽出分）であってもよい。但し、包装袋に収容される水出し茶葉の量を１回の使用分とする場合は、複数個の包装袋をセットに入れるようにすることが好ましい。この場合、茶葉の量により抽出量が変わり、それに従って味も変わるので、各袋毎に異なる茶葉の量を収容して微妙な味の変化を楽しむことができる。勿論、各袋に同量の茶葉を収容させるようにしてもよい。
【００１１】
図１中、２は急須であり、３はこの急須の蓋兼茶碗である。この急須２は、急須本体２１と注ぎ口２２とを有し、急須本体２１の注ぎ口２２に対応する壁面には、多数の水通過小孔２３が形成され、この急須本体２１内において、前記冷水により水出し茶葉から抽出された水茶が、小孔２３を通って注ぎ口２２から茶碗３に注がれるようになっており、この際、小孔２３は水茶は通過させても、茶葉は通過させない大きさに形成されているものである。
【００１２】
茶碗３は、盃状の形状を有するが、通常の急須の蓋体に特有な小貫通孔は形成されておらず、これに水茶を注いでも漏れが生じることはない。図１に示した例では、この茶碗３は、急須２の蓋体として用いられている。
【００１３】
なお、このように茶碗３を同時に急須２の蓋体として兼用させることが簡便であるが、これに限られるものではなく、茶碗３とは別個に急須２の蓋体を用いてもよいし、またこの考案において抽出は室温以下の冷水を用いるものであるから、蓋を開けておくと、熱湯が容易に冷めてしまうというような、通常お茶を入れるときの不都合はないものであるから、急須の蓋は必ずしも必要としない。
【００１４】
４は、内部に室温又はそれより低温の冷水が収容された冷水容器であるが、この冷水容器４は、必ずしもこの考案の水出し茶用セットに加えなくてもよく、この考案の水出し茶用セットと別個に用意してもよい。なお、冷水は通常の水道水や井戸水であってもよく、あるいはプラスチックボトルなどに収容されて市販されている水を用いてもよい。
【００１５】
上記水出し茶用セットにて水茶を点てる場合は、図２に示すように、急須本体２１から蓋体（茶碗３）を外し、水出し茶葉が収容された包装袋１を開封して、急須本体２１内に水出し茶葉１１を入れる。更に、冷水容器４から冷水を急須本体２１に入れ、急須本体２１に蓋体（茶碗３）を再度取り付け、この冷水にて水出し茶葉を抽出する。この抽出時間は、茶葉の量、冷水の量、冷水の温度等、更に喫茶するものの嗜好等によって相違するが、通常３〜１０分である。
【００１６】
このように、抽出した後は、上記蓋体を取り外し、これを茶碗３として、この中に図３に示すように抽出された水茶５を注ぎ、喫茶するものである。
【実施例】
【００１７】
この考案の一具体例として、図１において、水出し茶葉がそれぞれ１２〜１８ｇ収容された、アルミニウム箔がラミネートされ、上端に開封部を示す切り裂き線部が形成され、かつその若干下部に、上記開封部を開封可能に封鎖するチャック機構を有する３〜５個の包装袋１と、上記一の包装袋１内の水出し茶葉の全量が入れられ、かつこの水出し茶葉全量がほぼ浸る程度の冷水が入れられる内容積の急須本体２１を有する前記図１，２に示す形状と同形状の急須２と、この急須２の蓋体として使用されると共に、前記急須本体２１内で抽出された水茶の全量が注がれる内容積を有する図１〜３に示す盃状の茶碗３とのセットとした。
【００１８】
このセットは、これとは別個に冷水を準備しておくことにより、どこでも手軽にお茶を点てることを楽しみつつ喫茶することを可能にしたものである。
【図面の簡単な説明】
【００１９】
【図１】この考案の一実施態様を示す斜視図である。
【図２】図１のセットを用いてお茶を点てるステップを説明する斜視図である。
【図３】抽出された水茶が注がれた茶碗の斜視図である。
【符号の説明】
【００２０】
１  包装体
１１  水出し茶葉
２  急須
２１  急須本体
２２  注ぎ口
２３  水通過小孔
３  茶碗
４  冷水容器
５  水茶
【図１】
0003111196.tif 000003
【図２】
0003111196.tif 000004
【図３】
0003111196.tif 000005